(57)【要約】【課題】スリットが設けられているにもかかわらず、強度の低下が少ないジョイント端子を提供する。【解決手段】所定形状に形成された素材２に曲げ加工を施すことで製造されるジョイント端子１において、４つの側壁部２３Ａ，２３Ｂ，２３Ｃ，２３Ｄと、これらのうちの１つ目の側壁部である第１の側壁部２３Ａにつながっている前壁部１５と、この前壁部１５とは反対側で第１の側壁部２３Ａにつながっている後壁部１７とで囲まれて箱状に形成された本体部７と、前壁部１５の中間部から第１の側壁部２７Ａを通って後壁部１７の中間部まで延びて、本体部７に形成されているスリット１３と、第１の側壁部２３Ａと対向している第２の側壁部２３Ｂから突出しているオス接点部９と、本体部７の内部に設けられているメス接点部１１とを有する。【選択図】図１
2014013680.tif 000002
【特許請求の範囲】
【請求項１】
板状の金属の素材を所定形状に形成し、この所定形状に形成された素材に曲げ加工を施すことで製造されるジョイント端子において、
少なくとも４つの側壁部と、これらの側壁部のうちの１つ目の側壁部である第１の側壁部につながっている前壁部と、この前壁部とは反対側で前記第１の側壁部につながっている後壁部とで囲まれて箱状に形成された本体部と、
前記前壁部の中間部から前記第１の側壁部を通って前記後壁部の中間部まで延びて、前記本体部に形成されているスリットと、
前記各側壁部のうちの２つ目の側壁部であって前記第１の側壁部と対向している第２の側壁部から突出しているオス接点部と、
前記本体部の内部に設けられているメス接点部と、
を有することを特徴とするジョイント端子。
【請求項２】
請求項１に記載のジョイント端子において、
前記第１の側壁部と前記第２の側壁部とは、前記各側壁部のうちの３つ目の側壁部である第３の側壁部を介してつながっており、
前記各側壁部のうちの４つ目の側壁部であって前記第３の側壁部と対向している第４の側壁部は、前記第１の側壁部につながっている第１の側壁構成部と、前記第２の側壁部につながっている第２の側壁構成部とがお互いに重なって形成されていることを特徴とするジョイント端子。
【発明の詳細な説明】
【技術分野】
【０００１】
本発明は、ジョイント端子に係り、特に、板材を加工することで製造され電線の一端に設置されて使用されるものに関する。
【背景技術】
【０００２】
従来、複数本の電線の端部のそれぞれにジョイント端子を設置し、これらのジョイント端子同士をお互いに接続することで、各電線同士の導通を確保するものが知られている（たとえば、特許文献１参照）。
【０００３】
上記従来のジョイント端子は、矩形な筒状の本体部と、オス接点部（舌片状係合片）とメス接点部（付勢部、係止片）とを備えて構成されている。オス接点部は、本体部から突出しており、メス接点部は本体部内に存在している。
【０００４】
そして、１つのジョイント端子のオス接点部を、他の１つのジョイント端子の本体部内のメス接点部に係合し、各ジョイント端子同士を一体化して導通させている。
【０００５】
また、従来、図９や図１０で示すように、矩形な筒状に形成されている本体部３０１と、本体部３０１の側壁部から横方向に突出している板状のオス接点部３０３と、本体部３０１の内部に設けられているメス接点部３０５とを備えて構成されたジョイント端子３０７が提案されている。
【０００６】
ジョイント端子３０７は、ジョイント端子収容ハウジング３０９に対して移動することで、ジョイント端子収容ハウジング３０９の収容穴への収容や収容穴からの取り出しがなされるようになっている。
【０００７】
ジョイント端子収容ハウジング３０９には、複数のジョイント端子３０７が同時に設置（収容）されるようになっている。ジョイント端子収容ハウジング３０９に設置された各ジョイント端子３０７は、横方向に所定の間隔をあけてならんでいる。そして、１つのジョイント端子３０７のメス接点部３０５に、上記１つのジョイント端子３０７の隣に位置している他の１つのジョイント端子３０７のオス接点部３０３が入り込んでメス接点部３０５に係合し、お互いに隣接しているジョイント端子３０７同士が導通するようになっている。
【先行技術文献】
【特許文献】
【０００８】
【特許文献１】特開２００７−８７８１０号公報
【発明の概要】
【発明が解決しようとする課題】
【０００９】
ところで、図１０等で示すジョイント端子３０７の本体部３０１には、スリット３１１が設けられている。スリット３１１は、ジョイント端子収容ハウジング３０９に設置されている１つのジョイント端子（１つ目のジョイント端子）３０７の隣に他の１つのジョイント端子（２つ目のジョイント端子）３０７を設置するために必要なものである。
【００１０】
１つ目のジョイント端子３０７の隣に２つ目のジョイント端子３０７を設置するとき、２つ目のジョイント端子３０７のオス接点部３０３が１つ目のジョイント端子３０７のスリット３１１を通りぬけ、１つ目のジョイント端子３０７のメス接点部３０５に係合するようになっているからである。
【００１１】
しかし、ジョイント端子３０７では、スリット３１１が設けられていることで、図１０や図１１に示すように、本体部３０１の１つの側壁部３１３が２つの部位３１３Ａ，３１３Ｂに分割されており、本体部３０１の外周がつながっていない。そして、ジョイント端子３０７の強度が低下しているという問題がある。
【００１２】
本発明は、上記問題点に鑑みてなされたものであり、スリットが設けられているにもかかわらず、強度の低下が少ない（強度の低下がほとんど発生しない）ジョイント端子を提供することを目的とする。
【課題を解決するための手段】
【００１３】
請求項１に記載の発明は、板状の金属の素材を所定形状に形成し、この所定形状に形成された素材に曲げ加工を施すことで製造されるジョイント端子において、少なくとも４つの側壁部と、これらの側壁部のうちの１つ目の側壁部である第１の側壁部につながっている前壁部と、この前壁部とは反対側で前記第１の側壁部につながっている後壁部とで囲まれて箱状に形成された本体部と、前記前壁部の中間部から前記第１の側壁部を通って前記後壁部の中間部まで延びて、前記本体部に形成されているスリットと、前記各側壁部のうちの２つ目の側壁部であって前記第１の側壁部と対向している第２の側壁部から突出しているオス接点部と、前記本体部の内部に設けられているメス接点部とを有するジョイント端子である。
【００１４】
請求項２に記載の発明は、請求項１に記載のジョイント端子において、前記第１の側壁部と前記第２の側壁部とは、前記各側壁部のうちの３つ目の側壁部である第３の側壁部を介してつながっており、前記各側壁部のうちの４つ目の側壁部であって前記第３の側壁部と対向している第４の側壁部は、前記第１の側壁部につながっている第１の側壁構成部と、前記第２の側壁部につながっている第２の側壁構成部とがお互いに重なって形成されているジョイント端子である。
【発明の効果】
【００１５】
本発明によれば、スリットが設けられているにもかかわらず、強度の低下が少ない（強度の低下がほとんど発生しない）ジョイント端子を提供することができるという効果を奏する。
【図面の簡単な説明】
【００１６】
【図１】本発明の実施形態に係るジョイント端子の本体部の概略構成を示す斜視図である。
【図２】本発明の実施形態に係るジョイント端子の本体部の概略構成を示す展開図である。
【図３】本発明の実施形態に係るジョイント端子の概略構成を示す斜視図である。
【図４】本発明の実施形態に係るジョイント端子の概略構成を示す斜視図である。
【図５】本発明の実施形態に係るジョイント端子の概略構成を示す斜視図である。
【図６】本発明の実施形態に係るジョイント端子の概略構成を示す斜視図である。
【図７】本発明の実施形態に係るジョイント端子の概略構成を示す展開図である。
【図８】本発明の実施形態に係るジョイント端子をハウジングに設置した状態を示す断面図である。
【図９】従来のジョイント端子と、このジョイント端子が収容されるハウジングとの概略構成を示す斜視図である。
【図１０】従来のジョイント端子の概略構成を示す斜視図である。
【図１１】従来のジョイント端子の展開図である。
【発明を実施するための形態】
【００１７】
本発明の実施形態に係るジョイント端子（コネクタ端子）１は、電線の端部に設置されて使用されるものである。そして、複数本の電線（図示せず）のそれぞれに設置された各ジョイント端子１を、従来のものと同様に、複数の収容穴３が設けられているジョイント端子収容ハウジング（ハウジング）５に収容することで（各ジョイント端子１のそれぞれを各収容穴３のそれぞれに挿入して収容することで）、ジョイント端子１を介して上記電線同士が接続（導通）するようになっている（図８、図９参照）。
【００１８】
また、ジョイント端子１は、一定の厚さの板状の（たとえば平板状の）金属の素材を所定形状に形成し（図７参照）、この所定形状に形成された１枚の素材２に適宜の曲げ加工を施すことで製造されるものである。なお、図７で示す形成後の素材２は、平板状になっており、厚さ方向から見たときに所定形状になっている。
【００１９】
ここで、説明の便宜のために、ジョイント端子１の長手方向を前後方向（ジョイント端子１のハウジング５への抜き差し方向）とし、長手方向に対して直交する一方向を横方向とし、前後方向と横方向とに対して直交する方向を縦方向とする。
【００２０】
ジョイント端子１の外形形状は、図１、図３〜図６等で示すように、概ね四角柱状になっている。ジョイント端子１は、ハウジング５の四角柱状の収容穴３に収容されることで、ハウジング５に一体的に設置されるようになっている。
【００２１】
図９等で示すように、ジョイント端子１の長手方向の前側にハウジング（ジョイント端子１から離れ所定の適切な位置で所定の適切な姿勢を保っているハウジング）５が存在している状態から、ジョイント端子１を前方向に移動することで、ジョイント端子１がハウジング５の収容穴（横方向に並んでいる収容穴）に収容されハウジング５に一体的に設置されるようになっている。図９は、従来のジョイント端子３０７を示してあるが、ジョイント端子１のハウジング５への設置は、従来と同様にしてなされるのである。
【００２２】
１つのハウジング５には、複数のジョイント端子１が、横方向に並べられて同時に設置されるようになっている。これらの設置された各ジョイント端子１は、お互いに隣接しているもの同士が接触して導通している。
【００２３】
ジョイント端子１は、本体部７とオス接点部（オス端子部）９とメス接点部（メス端子部）１１とスリット（サイドスリット）１３と電線接続部１９とランス係合部２１とを備えて構成されている。
【００２４】
本体部７は、４つの側壁部（少なくとも４つの側壁部）２３Ａ，２３Ｂ，２３Ｃ，２３Ｄと、前壁部１５と、後壁部１７とを備えて構成されている。少なくとも４つの側壁部と記載した理由は、本体部７の外形形状が、正六角柱状等の他の形状になっている場合も想定されるからである。また、本体部７の外形形状が、正三角柱状になっている場合も想定される。
【００２５】
前壁部１５は、各側壁部２３Ａ，２３Ｂ，２３Ｃ，２３Ｄのうちの１つ目の側壁部である第１の側壁部２３Ａにつながって、第１の側壁部２３Ａから突出している（図２、図７等参照）。
【００２６】
後壁部１７は、前壁部１５が突出している部位とは反対側で第１の側壁部２３Ａにつながって第１の側壁部２３Ａから突出している。
【００２７】
本体部７は、４つの側壁部２３Ａ，２３Ｂ，２３Ｃ，２３Ｄと前壁部１５と後壁部１７とで囲まれて箱状に形成されている（外形形状が概ね四角柱状になっている）。
【００２８】
さらに説明すると、第１の側壁部２３Ａは、本体部７における横方向の一方の側（一端側）に位置している。第２の側壁部２３Ｂは、第１の側壁部２３Ａと対向しており、本体部７における横方向の他方の側（他端側）に位置している。第３の側壁部２３Ｃは、本体部７における縦方向の一方の側（一端側）に位置している。第４の側壁部２３Ｄは、第３の側壁部２３Ｃと対向しており、本体部７における縦方向の他方の側（他端側）に位置している。
【００２９】
オス接点部９は、板状に形成されており、第２の側壁部２３Ｂから横方向の他方の側に突出している。また、オス接点部９は、たとえば平板状に形成されており、厚さ方向が縦方向になっており、縦方向では、本体部７の中間に位置しており、前後方向では、本体部７の中間に位置している。
【００３０】
メス接点部１１は、本体部７の内部に設けられている。メス接点部１１は、図７、図８で示すように、当接部（図示せず）とバネ部２７とを備えて構成されている。当接部は、本体部７における第４の側壁部２３Ｄから内側に突出して形成されている。バネ部２７は、本体部７における第３の側壁部２３Ｃから内側に突出して形成されている。当接部は、縦方向の他方の側に位置しており、バネ部２７は、縦方向の一方の側に位置している。
【００３１】
そして、１つのハウジング５に複数のジョイント端子１を横方向に並べて同時に設置すると、お互いが隣接しているジョイント端子１において、一方のジョイント端子１のオス接点部９が他方のジョイント端子１のメス接点部１１に係合し、お互いが隣接しているジョイント端子１同士が導通するようになっている。
【００３２】
なお、オス接点部９は、収容穴３の間の壁部（図示せず）に形成されている切り欠き（図示せず）を通過して、隣の収容穴３内に入り込み、さらに、隣の収容穴３に収容されているジョイント端子１の本体部７内にスリット１３を通過して入り、メス接点部１１に係合するようになっている。
【００３３】
さらに説明すると、一方のジョイント端子１のオス接点部９が、他方のジョイント端子１のメス接点部１１の当接部と板状のバネ部２７とでバネ部２７による付勢力をもって縦方向で挟まれることで、一方のジョイント端子１のオス接点部９が他方のジョイント端子１のメス接点部１１に確実に係合するようになっている。
【００３４】
なお、１つのハウジング５に複数のジョイント端子１を横方向に並べて同時に設置したときに、横方向の他端に存在している１つのジョイント端子１のオス接点部９は、隣にジョイント端子１が存在していないので、メス接点部１１に係合していない。
【００３５】
また、１つのハウジング５に複数のジョイント端子１を横方向に並べて同時に設置したときに、横方向の一端に存在している１つのジョイント端子１のメス接点部１１は、隣にジョイント端子１が存在していないので、オス接点部９に係合していない。
【００３６】
前壁部１５は、図１等で示すように、筒状の各側壁部２３Ａ〜２３Ｄの前側の開口部でこの開口部を塞ぐように設けられている。後壁部１７は、図３〜図６等で示すように、筒状の各側壁部２３Ａ〜２３Ｄ７の後側の開口部でこの開口部を塞ぐように設けられている。
【００３７】
電線接続部１９は、図３等で示すように、本体部７の後側で本体部７から後側に突出している。電線接続部１９は、被覆が除去されて剥き出しになった導線（電線の導線）を保持する導線保持部２９と、電線の被覆の部分を保持する被覆保持部３１とを備えて構成されている。導線保持部２９と被覆保持部３１とは、これらがカシメられることで、電線を保持するようになっている（ジョイント端子１が電線の端部に一体的に設置されるようになっている）。
【００３８】
ランス係合部２１は、筒状の本体部７の後側で本体部７から後側に突出しており、ジョイント端子１がハウジング５に設置されたときにハウジング５のランス３３（図８参照）が係合する部位が角張っている（図８等で示すようにエッジ４７になっている；曲げＲや面取りがなされていない形態になっている）。
【００３９】
なお、ジョイント端子１では、前後方向において、前から後に向かい、本体部７、ランス係合部２１、導線保持部２９、被覆保持部３１がこの順にならんでいる。
【００４０】
ジョイント端子１は、上述したように、ハウジング５に形成されている収容穴３に入り込んでハウジング５に一体的に設置されるようになっている。すなわち、収容穴３内には、図８で示すようにランス３３が設けられており、ランス３３にランス係合部２１が係合することで、ハウジング５に設置されたジョイント端子１が、ハウジング５の収容穴３から抜け出ないようになっている。
【００４１】
さらに説明すると、図８、図９で示すように、収容穴３の壁部（収容穴３よりも縦方向他端部側に存在している肉部）３７には、貫通孔３９が形成されており、ランス３３は、貫通孔３９のところに形成されている。ランス３３の基端（後端）は、貫通孔３９の壁（後側の壁）につながっており、ランス３３は、貫通孔３９の壁から前側に片持ち梁の態様で突出している。
【００４２】
図８で示すように、ランス３３の内側の部位（収容穴３側の部位；縦方向一端側の部位）には傾斜面４１が形成されている。また、ランス３３の先端（前端）は平面４３になっている。さらに、ランス３３の前側の部位の一部は、常態（ランス３３に何ら外力が加わっていない状態）では四角柱状の収容穴３内に突出している。
【００４３】
そして、ハウジング５の収容穴３にジョイント端子１を設置する途中の状態では、ランス３３の傾斜面４１にジョイント端子１の先端が当接することで、ランス３３が図８に矢印で示すように弾性変形するようになっている。
【００４４】
ハウジング５の収容穴３にジョイント端子１を設置し終えたときには、ランス３３が図８で示すように復元し、ランス３３先端の平面４３がランス係合部２１に当接し、ジョイント端子１が、ハウジング５の収容穴３から抜け出ないようになっている。
【００４５】
なお、ジョイント端子１の前端は、収容穴３の底の当接部４５に当接している。これにより、ランス３３と当接部４５とで、ジョイント端子１が挟み込まれており、ハウジング５の収容穴３に設置されたジョイント端子１が、ハウジング５に対して前後方向で移動しないようになっている。
【００４６】
また、ジョイント端子１の本体部７の縦横寸法が、収容穴３の縦横寸法よりも僅かに小さくなっていることで、ハウジング５の収容穴３に設置されたジョイント端子１が、ハウジング５に対して縦横方向で移動しないようになっている。
【００４７】
スリット１３は、前壁部１５の中間部から第１の側壁部２３Ａを通って後壁部１７の中間部まで延びて、本体部７に形成されている。メス接点部１１は、スリット１３を通して本体部７の外部から覗けるようになっている。
【００４８】
また、図１、図２、図７等で示すように、第１の側壁部２３Ａと第２の側壁部２３Ｂとは、各側壁部２３Ａ〜２３Ｄのうちの３つ目の側壁部である第３の側壁部（縦方向の一方の側に存在している側壁部）２３Ｃを介してつながっている。
【００４９】
各側壁部２３Ａ〜２３Ｄのうちの４つ目の側壁部であって第３の側壁部２３Ｃと対向している第４の側壁部（縦方向の他方の側に存在している側壁部）２３Ｄは、第１の側壁構成部５１と第２の側壁構成部５３とがお互いに重なって形成されている。
【００５０】
第１の側壁構成部５１は、第１の側壁部２３Ａにつながって第１の側壁部２３Ａから突出している。第２の側壁構成部５３は、第２の側壁部２３Ｂにつながって第２の側壁部２３Ｂから突出している。
【００５１】
さらに詳しく説明すると、図１、図２等で示すように、第１の側壁部２３Ａは、長方形状に形成されており、平板状の素材２が適宜の曲げ加工によってジョイント端子１になったときには、長方形の長手方向が前後方向になり、幅方向が縦方向になる。
【００５２】
第３の側壁部２３Ｃも、第１の側壁部２３Ａと同様な長方形状に形成されている。平板状の素材２の状態では、第１の側壁部２３Ａの幅方向の一方の辺（長い辺）の全長と第３の側壁部２３Ｃの幅方向の一方の辺（長い辺）の全長とがお互いに接している（共通になっている）。平板状の素材２が適宜の曲げ加工によってジョイント端子１になったときには、第３の側壁部２３Ｃの長方形の長手方向が前後方向になり、幅方向が横方向になる。
【００５３】
第２の側壁部２３Ｂも、第１の側壁部２３Ａと同様な長方形状に形成されている。平板状の素材２の状態では、第３の側壁部２３Ｃの幅方向の他方の辺（長い辺）の全長と第２の側壁部２３Ｂの幅方向の一方の辺（長い辺）の全長とがお互いに接している（共通になっている）。平板状の素材２が適宜の曲げ加工によってジョイント端子１になったときには、第２の側壁部２３Ｂの長方形の長手方向が前後方向になり、幅方向が縦方向になる。
【００５４】
第４の側壁部２３Ｄの第１の側壁構成部５１も、第１の側壁部２３Ａと同様な長方形状に形成されている。平板状の素材２の状態では、第１の側壁構成部５１の幅方向の一方の辺（長い辺）の全長と第１の側壁部２３Ａの幅方向の他方の辺（長い辺）の全長とがお互いに接している（共通になっている）。平板状の素材２が適宜の曲げ加工によってジョイント端子１になったときには、第１の側壁構成部５１の長方形の長手方向が前後方向になり、幅方向が横方向になる。
【００５５】
第４の側壁部２３Ｄの第２の側壁構成部５３も、第１の側壁部２３Ａと同様な長方形状に形成されている。平板状の素材２の状態では、第２の側壁構成部５３の幅方向の一方の辺（長い辺）の全長と第２の側壁部２３Ｂの幅方向の他方の辺（長い辺）の全長とがお互いに接している（共通になっている）。平板状の素材２が適宜の曲げ加工によってジョイント端子１になったときには、第２の側壁構成部５３の長方形の長手方向が前後方向になり、幅方向が横方向になり、さらに、第２の側壁構成部５３は、第１の側壁構成部５１の内側で第１の側壁構成部５１に重なっている。なお、逆に、第１の側壁構成部５１が、第２の側壁構成部５３の内側で第２の側壁構成部５３に重なっている形態であってもよい。
【００５６】
また、すでに理解されるように、平板状の素材２の状態では、図２から理解されるように、第１の側壁部２３Ａと第２の側壁部２３Ｂと第３の側壁部２３Ｃと第１の側壁構成部５１と第２の側壁構成部５３とで矩形な平板状になっている。
【００５７】
また、平板状の素材２が適宜の曲げ加工によってジョイント端子１になったとき、第１の側壁構成部５１と第２の側壁構成部５３とがこれらの厚さ方向でお互いに重なっているので、第１の側壁構成部５１と第２の側壁構成部５３とで形成される第４の側壁部２３Ｄは、この厚さが平板状の素材２の厚さの２倍になっている。
【００５８】
なお、第１の側壁構成部５１と第２の側壁構成部５３とは、隙間がほぼ無い状態で重なっているのであるが、僅かな間隙を隔てて、第１の側壁構成部５１と第２の側壁構成部５３とが重なっていてもよい。
【００５９】
前壁部１５は、各側壁部２３Ａ〜２３Ｄの幅寸法と同程度の長さの４辺を備えた矩形状に形成されている。平板状の素材２の状態では、第１の側壁部２３Ａの長手方向の一方の辺（短い辺）の全長と前壁部１５の１辺（第１の辺）の全長とがお互いに接している（共通になっている）。
【００６０】
平板状の素材２が適宜の曲げ加工によってジョイント端子１になったときには、図１等で示すように、前壁部１５の厚さ方向が前後方向になり、前壁部１５の第１の辺と対向している第２の辺（前壁部１５の第２の辺）５５が、第２の側壁部２３Ａの長手方向の一方の辺（短い辺）の近傍で第２の側壁部２３Ｂの長手方向の一方の辺（短い辺）と平行に延伸している。なお、第２の辺５５が、第２の側壁部２３Ｂの長手方向の一方の辺（短い辺）に接していてもよい。
【００６１】
また、平板状の素材２が適宜の曲げ加工によってジョイント端子１になったときには、前壁部１５の第１の辺と第２の辺５５とに隣接している第３の辺（前壁部の第３の辺）５７が、第３の側壁部２３Ｃの長手方向の一方の辺（短い辺）の近傍で第３の側壁部２３Ｃの長手方向の一方の辺（短い辺；図５に示すバネ部２７の基端）と平行に延伸している。なお、第３の辺５７が、第３の側壁部２３Ｃの長手方向の一方の辺（短い辺）に接していてもよい。
【００６２】
また、平板状の素材２が適宜の曲げ加工によってジョイント端子１になったときには、前壁部１５の第３の辺５７と対向している第４の辺（前壁部１５の第４の辺）５９が、第４の側壁部２３Ｄの各側壁構成部５１，５３の長手方向の一方の辺（短い辺）の近傍で第４の側壁部２３Ｄの長手方向の一方の辺（短い辺）と平行に延伸している。なお、第４の辺５９が、第４の側壁部２３Ｄの各側壁構成部５１，５３の長手方向の一方の辺に接していてもよい。
【００６３】
後壁部１７は、前壁部１５と同様な矩形状に形成されている。平板状の素材２の状態では、第１の側壁部２３Ａの長手方向の他方の辺（短い辺）の全長と後壁部１７の１辺（第１の辺）の全長とがお互いに接している（共通になっている）。
【００６４】
平板状の素材２が適宜の曲げ加工によってジョイント端子１になったときには、前壁部１５の場合と同様にして、後壁部１７の各辺（第２の辺〜第４の辺）が、各側壁構成部（２３Ｂ〜２３Ｄ）の長手方向の他方の辺の近傍に位置するか接するようになっている。
【００６５】
スリット１３は、細長い矩形状（幅の値が素材２の厚さの値よりも僅かに大きい細長い矩形状）に形成されており、平板状の素材２の状態では、長手方向が第１の側壁部２３Ａの長手方向と一致し、幅方向が第１の側壁部２３Ａの幅方向と一致するようにして、第１の側壁部２３Ａと前壁部１５と後壁部１７とにわたって設けられている。また、スリットは、第１の側壁部２３Ａと前壁部１５と後壁部１７とをこの厚さ方向で貫通している（図２等参照）。
【００６６】
さらに、スリット１３は、この幅方向では、第１の側壁部２３Ａの中間部に位置しており、その長手方向では、一端が前壁部１５の中間部に位置しており、他端が後壁部１７の中間部に位置している。
【００６７】
ジョイント端子１を前後方向から見ると、スリット１３は、縦方向では、ジョイント端子１の中間部（オス接点部９と同じ位置）に位置しており、横方向では、一端から中間部にわたって形成されている。さらに、スリット１３は、前後方向で本体部７を貫通している。
【００６８】
ジョイント端子１によれば、スリット１３が前壁部１５の中間部から第１の側壁部２３Ａを通って後壁部１７の中間部まで延びて本体部７に形成されているので、スリット１３が設けられているにもかかわらず本体部７がスリット１３で分断されることなく、第１の側壁部２３Ａが前壁部１５と後壁部１７との部位（スリット１３が形成されていない部位）を介してつながっている。
【００６９】
したがって、スリット１３が設けられているにもかかわらず、ジョイント端子１（特に本体部７）での強度の低下がほぼ無くなっている。たとえば、縦方向や横方向でジョイント端子１を圧縮する力が本体部７に加わっても、ジョイント端子１が従来のものよりもつぶれ難くなっている。また、スリット１３を開くような力がジョイント端子１に加わっても、ジョイント端子１のスリット１３が従来のものよりも開き難くなっている（スリット１３の幅が広がらないようになっている）。
【００７０】
また、ジョイント端子１によれば、第４の側壁部２３Ｄが、第１の側壁構成部５１と第２の側壁構成部５３とがお互いに重なることで形成されているので、第４の側壁部２３Ｄは２重構造になっており、ジョイント端子１の強度が一層高くなっている。
【符号の説明】
【００７１】
１  ジョイント端子
２  素材
７  本体部
９  オス接点部
１１  メス接点部
１３  スリット
１５  前壁部
１７  後壁部
２３Ａ  第１の側壁部
２３Ｂ  第２の側壁部
２３Ｃ  第３の側壁部
２３Ｄ  第４の側壁部
５１  第１の側壁構成部
５３  第２の側壁構成部
【図１】
2014013680.tif 000003
【図２】
2014013680.tif 000004
【図３】
2014013680.tif 000005
【図４】
2014013680.tif 000006
【図５】
2014013680.tif 000007
【図６】
2014013680.tif 000008
【図７】
2014013680.tif 000009
【図８】
2014013680.tif 000010
【図９】
2014013680.tif 000011
【図１０】
2014013680.tif 000012
【図１１】
2014013680.tif 000013